(57)【要約】【課題】高層ビル内で発生する汚染空気を低コストで効果的に浄化できるとともに、高層ビルの屋上緑化の促進を図ることができる土壌式空気浄化装置を提供する。【解決手段】土壌式空気浄化装置４は、屋上２に設ける土壌層部５と、地下駐車場３内で発生する汚染空気と各階の室内で発生する汚染空気とをまとめて土壌層部５に送って浄化する汚染空気送り手段６とを備える。汚染空気送り手段６は、地下駐車場３内で開口する第１吸気口31、各階の室内で開口する第２吸気口32および土壌層部５内で開口する排気口33を形成したダクト34と、ダクト34の途中に設けたファン35とを有する。【選択図】図１
0003123212.tif 000002
【実用新案登録請求の範囲】
【請求項１】
屋上および地下駐車場を有する高層ビルに用いられる土壌式空気浄化装置であって、
屋上に設けられる土壌層部と、
地下駐車場内で発生する自動車排ガスによる汚染空気と各階の室内で発生する汚染空気とをまとめて前記土壌層部に送る汚染空気送り手段とを備え、
前記汚染空気送り手段にて前記土壌層部に送られた汚染空気は、前記土壌層部によって浄化されるとともに、前記土壌層部に植えられた植物の栄養となる
ことを特徴とする土壌式空気浄化装置。
【請求項２】
汚染空気送り手段は、
地下駐車場内で開口する第１吸気口、各階の室内で開口する第２吸気口および土壌層部内で開口する排気口が形成されたダクトと、
このダクトの途中に設けられたファンとを有する
ことを特徴とする請求項１記載の土壌式空気浄化装置。
【考案の詳細な説明】
【技術分野】
【０００１】
本考案は、屋上および地下駐車場を有する高層ビルに用いられる土壌式空気浄化装置に関するものである。
【背景技術】
【０００２】
従来、例えば地下駐車場の上部に土壌層部を重層し、地下駐車場内で発生する自動車排ガスによる汚染空気をファンで吸引して土壌層部を通過させて浄化する土壌式空気浄化装置が知られている（例えば、特許文献１参照）。
【特許文献１】特開平５−９８８２９号公報
【考案の開示】
【考案が解決しようとする課題】
【０００３】
しかしながら、上記従来の土壌式空気浄化装置は、地下駐車場内において、自動車のアイドリングや走行等によって発生する自動車排ガスを対象とするものに過ぎない。
【０００４】
そして、近年では、都市部等に多く建設された高層ビルの地下駐車場および各階の多数の室内から未処理のまま排気される汚染空気が、大気環境を悪化させる原因となっており、高層ビル内で発生する汚染空気の浄化対策が問題となっている。
【０００５】
本考案は、このような点に鑑みなされたもので、高層ビル内で発生する汚染空気を低コストで効果的に浄化できるとともに、高層ビルの屋上緑化の促進を図ることができる高層ビル用の土壌式空気浄化装置を提供することを目的とする。
【課題を解決するための手段】
【０００６】
請求項１記載の土壌式空気浄化装置は、屋上および地下駐車場を有する高層ビルに用いられる土壌式空気浄化装置であって、屋上に設けられる土壌層部と、地下駐車場内で発生する自動車排ガスによる汚染空気と各階の室内で発生する汚染空気とをまとめて前記土壌層部に送る汚染空気送り手段とを備え、前記汚染空気送り手段にて前記土壌層部に送られた汚染空気は、前記土壌層部によって浄化されるとともに、前記土壌層部に植えられた植物の栄養となるものである。
【０００７】
請求項２記載の土壌式空気浄化装置は、請求項１記載の土壌式空気浄化装置において、汚染空気送り手段は、地下駐車場内で開口する第１吸気口、各階の室内で開口する第２吸気口および土壌層部内で開口する排気口が形成されたダクトと、このダクトの途中に設けられたファンとを有するものである。
【考案の効果】
【０００８】
本考案によれば、高層ビルの地下駐車場内で発生する自動車排ガスによる汚染空気と高層ビルの各階の室内で発生する汚染空気とをまとめて送る汚染空気送り手段によって屋上に設けた土壌層部に送られた汚染空気が、土壌層部によって浄化されるとともに、土壌層部に植えられた植物の栄養となる構成であるから、高層ビル内で発生する汚染空気を低コストで効果的に浄化できるとともに、高層ビルの屋上緑化の促進を図ることができる。
【考案を実施するための最良の形態】
【０００９】
本考案の土壌式空気浄化装置の一実施の形態を図面を参照して説明する。
【００１０】
図１および図２において、１は高層ビル、すなわち例えば４階建ての地下駐車場付きマンションで、この高層ビル１は、土壌層部５が設けられた屋上２を有するとともに、地下に埋設された地下駐車場３を有している。
【００１１】
そして、高層ビル１には、この高層ビル１内で発生する汚染空気を土壌層部５に通過させて浄化する土壌式空気浄化装置４が設けられている。
【００１２】
土壌式空気浄化装置４は、高層ビル１の屋上２に設けられた土壌層部５と、高層ビル１の地下駐車場３内で発生する自動車排ガスによる汚染空気と高層ビル１の各階の室内で発生する汚染空気とをまとめて土壌層部５に送る汚染空気送り手段６とを備えている。そして、汚染空気送り手段６にて土壌層部５に送られた汚染空気が、土壌層部５によって浄化されるとともに土壌層部５に屋上緑化として植えられた植物７の栄養となる構成となっている。
【００１３】
地下駐車場３内で発生する自動車排ガスによる汚染空気は、地下駐車場３内での自動車11等のアイドリングや走行等によって発生する二酸化炭素、一酸化炭素、炭化水素および窒素酸化物等を含んだ汚れた空気である。
【００１４】
各階の室内で発生する汚染空気は、図３に示すような各階に設けられた家庭のキッチン12およびトイレ13等で発生する汚れた空気である。
【００１５】
なお、例えば高層ビル１がオフィスビルである場合には、各階の室内で発生する汚染空気は、図４に示すような各階に設けられた事務所の給湯室14およびトイレ15等で発生する汚れた空気である。また、例えば高層ビル１がホテルである場合には、各階の室内で発生する汚染空気は、客室のトイレ等で発生する汚れた空気や飲食店の厨房室16で発生する汚れた空気等である。なお、高層ビル１が商業、公共公益施設、住宅棟等を含む複合施設ビルであれば、家庭のキッチン、事務所の給湯室および飲食店の厨房等で発生する汚れた空気が、浄化処理対象の汚染空気である。
【００１６】
土壌層部５は、図２に示すように、屋上２の屋上床板部21とこの屋上床板部21から立ち上がった立上板部22とにて区画形成された土壌収容部23に収容されている。土壌層部５は、屋上床板21上に配設されたぐり石層24と、このぐり石層24上に細石層25を介して配設された土壌層26とを有している。土壌層26は、例えば黒土に有機系改良材および無機系改良材等を適宜混ぜたものからなり、微生物が繁殖容易で、通気性および排水性が良好なものが最適である。
【００１７】
汚染空気送り手段６は、図１および図２に示されるように、地下駐車場３内で開口する複数の第１吸気口31、各階の室内で開口する複数の第２吸気口32および土壌層部５のぐり石層24内で開口する複数の排気口33がそれぞれ形成されたダクト34と、このダクト34の途中に設けられたファン35とを有している。
【００１８】
ダクト34は、地下駐車場３内に配設された第１横管36と、各階に配設された第２横管37と、屋上２に配設された第３横管38と、これら横管36，37，38に接続された縦管39とを有している。そして、第１横管36に第１吸気口31が形成され、第２横管37に第２吸気口32が形成され、第３横管38のうち土壌層部５のぐり石層24内に位置する部分に排気口33が形成されている。第３横管38のうち土壌層部５外に位置する部分における途中にファン35が接続されている。
【００１９】
次に、上記土壌式空気浄化装置４の作用等を説明する。
【００２０】
汚染空気送り手段６のファン35がモータ等の駆動源からの動力で作動すると、地下駐車場３内の汚染空気および各階の室内の汚染空気は、第１吸気口31および第２吸気口32からダクト34内に吸引され、このダクト34内を通り、屋上２に設けられた土壌層部５のぐり石層24内において排気口33から排出され、土壌層部５の土壌層26を通過し、この土壌層26の表面から大気に放出される。
【００２１】
この土壌層部５内において排気口33から排出された汚染空気は、土壌層26を通過する際に、土壌層26による吸着作用および土壌層26中に生育する微生物による分解作用等によって浄化され、無臭の浄化空気として大気放出される。
【００２２】
また、汚染空気中に含まれた炭素および窒素の成分は、屋上緑化の植物７によって栄養素となり、植物７の生育を助ける。
【００２３】
このように土壌式空気浄化装置４によれば、高層ビル１の地下駐車場３内で発生する自動車排ガスによる汚染空気と高層ビル１の各階の室内で発生する汚染空気とをまとめて送る汚染空気送り手段６によって屋上２に設けた土壌層部５に送られた汚染空気が、土壌層部５の土壌層26によって浄化されるとともに土壌層部５の土壌層26に屋上緑化として植えられた植物７の栄養となる構成であるから、高層ビル１内で発生する汚染空気を低コストで効果的に浄化できるとともに、高層ビル１の屋上緑化の促進を図ることができ、ヒートアイランド現象を抑制できる。
【００２４】
なお、土壌層部５の土壌層26の乾燥時にこの土壌層26へ水を供給する給水手段を設けることが好ましい。
【００２５】
また、給水手段による給水時や雨天時等に土壌層部５に浸透した水が底部に溜まらないように、水抜き口部を設けて下水道に流すようにしてもよい。
【図面の簡単な説明】
【００２６】
【図１】本考案の一実施の形態に係る土壌式空気浄化装置を用いた高層ビルの正面図である。
【図２】同上土壌式空気浄化装置の土壌層部の断面図である。
【図３】同上高層ビルの一部断面図である。
【図４】同上高層ビルの一部断面図である。
【図５】同上高層ビルの一部断面図である。
【符号の説明】
【００２７】
１    高層ビル
２    屋上
３    地下駐車場
４    土壌式空気浄化装置
５    土壌層部
６    汚染空気送り手段
７    植物
31    第１吸気口
32    第２吸気口
33    排気口
34    ダクト
35    ファン
【図１】
0003123212.tif 000003
【図２】
0003123212.tif 000004
【図３】
0003123212.tif 000005
【図４】
0003123212.tif 000006
【図５】
0003123212.tif 000007